(57)【要約】【課題】室温、開放感及び意匠性の観点から多面的に室内の快適性を向上する建築物の構成部材を提供すること。【解決手段】透明な部材により構成され、互いに離間した第１及び第２の透明層部と、前記第１の透明層部と前記第２の透明層部との間の空間に、区画して配設された複数の潜熱蓄熱材と、を備え、前記複数の潜熱蓄熱材は、融点温度が異なる複数種類の潜熱蓄熱材を含むことを特徴とする建築物の構成部材を提供する。【選択図】図１
2008019555.tif 000002
【特許請求の範囲】
【請求項１】
透明な部材により構成され、互いに離間した第１及び第２の透明層部と、
前記第１の透明層部と前記第２の透明層部との間の空間に、区画して配設された複数の潜熱蓄熱材と、
を備え、
前記複数の潜熱蓄熱材は、融点温度が異なる複数種類の潜熱蓄熱材を含むことを特徴とする建築物の構成部材。
【請求項２】
前記透明な部材がプラスチック材であることを特徴とする請求項１に記載の建築物の構成部材。
【請求項３】
前記建築物の構成部材が壁体であることを特徴とする請求項１又は２に記載の建築物の構成部材。
【発明の詳細な説明】
【技術分野】
【０００１】
本発明は、壁体等の建築物の構成部材に関する。
【背景技術】
【０００２】
室内の快適性を左右する要素としては、室温、開放感、室内の意匠性等が挙げられる。これらの要素のうち、室温については、建築物内の温度調整を行なうべく、外壁等に潜熱蓄熱材を配設した構造が提案されている（特許文献１及び２）。このような建築物では外気温の変化に応じて潜熱蓄熱材が液体と固体との間で物理変化を生じることにより、潜熱蓄熱材による吸熱、放熱が行なわれ、建築物内の温度調整を行なうことができる。
【０００３】
【特許文献１】特開２００１−３４６８号公報
【特許文献２】特開２００３−３４９９３号公報
【発明の開示】
【発明が解決しようとする課題】
【０００４】
特許文献１及び２の潜熱蓄熱材を用いた構造では室温の点では室内の快適性の向上を図ることができるが、開放感や室内の意匠性といった点には着目されていない。
【０００５】
そこで、本発明の目的は、室温、開放感及び意匠性の観点から多面的に室内の快適性を向上する建築物の構成部材を提供することにある。
【課題を解決するための手段】
【０００６】
本発明によれば、透明な部材により構成され、互いに離間した第１及び第２の透明層部と、前記第１の透明層部と前記第２の透明層部との間の空間に、区画して配設された複数の潜熱蓄熱材と、を備え、前記複数の潜熱蓄熱材は、融点温度が異なる複数種類の潜熱蓄熱材を含むことを特徴とする建築物の構成部材が提供される。
【０００７】
本発明では前記潜熱蓄熱材の吸熱・放熱作用により、室温の制御が可能となる。また、前記複数の潜熱蓄熱材は、融点温度が異なる複数種類の潜熱蓄熱材を含むことにより、より広範な温度範囲で室温の制御が可能となる。
【０００８】
前記潜熱蓄熱材は、固化した状態、液体の状態、いずれにおいても透明性を有する一方、前記第１及び第２の透明層部が透明な部材材から構成されることにより、前記建築物の構成部材は透明性を有する。従って、室内の開放感を向上することができる。
【０００９】
また、前記潜熱蓄熱材は、固化した状態と液体の状態とで透明度が異なり、固化した状態においては白濁する。前記複数の潜熱蓄熱材が、融点温度が異なる複数種類の潜熱蓄熱材を含むことにより、気温の変化に応じて部分的に透明度が異なり、美感が変化する。従って、意匠性も向上できる。
【００１０】
こうして本発明の建築物の構成部材は、室温、開放感及び意匠性の観点から多面的に室内の快適性を向上することができる。なお、前記透明な部材には無色透明の部材、有色透明の部材の双方が含まれる。
【００１１】
本発明においては、前記透明な部材がプラスチック材である構成を採用することができる。この構成によれば、前記建築物の構成部材の製造を容易化することができる。前記プラスチック材としては、透明度、耐候性、加工の容易性等考慮するとアクリル材が好適であるが、この他にはポリカーボネート、ポリスチレン、ポリエチレンテレフタレートなども挙げられる。
【００１２】
また、本発明においては、前記建築物の構成部材が壁体である構成を採用することができる。本発明の建築物の構成部材は、室内の快適性を向上する点で壁として用いられることが効果的である。
【発明の効果】
【００１３】
以上述べた通り、本発明によれば、室温、開放感及び意匠性の観点から多面的に室内の快適性を向上する建築物の構成部材を提供することができる。
【発明を実施するための最良の形態】
【００１４】
以下、本発明の建築物の構成部材を壁体に適用した例について説明する。図１（ａ）は本発明の一実施形態に係る壁体１０の正面図である。図１（ｂ）は図１（ａ）の線Ｘ−Ｘに沿う壁体１０の断面図である。壁体１０は複数の壁ユニット１００を平面的に配設して形成されている。まず、壁ユニット１００について説明する。図２（ａ）は壁ユニット１００の斜視図、図２（ｂ）は壁ユニット１００の分解斜視図である。
【００１５】
壁ユニット１００は壁体１０の外壁、内壁を構成するアクリル板１０１及び１０２と、壁体１０内を区画するアクリル板１０３及び１０４と、を接合して構成される中空直方体の内部に潜熱蓄熱材１１０を配設して構成される。
【００１６】
アクリル板１０１乃至１０４はいずれも透明なアクリル材により構成されている。アクリル板１０１及び１０２は互いに同形状でかつ所定の間隔を置いて平行に配置され、互いに対峙して配設されている。アクリル板１０１及び１０２は壁体１０が支持する荷重を負担するよう、その厚さ等が設定される。想定する荷重に対してアクリル板１０１及び１０２の厚さや強度を設定することにより、壁体１０は耐震壁として用いることもできる。
【００１７】
潜熱蓄熱材１１０は本実施形態の場合、アクリル板１０１乃至１０４により構成される中空直方体の内部に密に充填されている。潜熱蓄熱材１１０は例えばｎ−パラフィン（ｎ：炭素数）であり、例えば、マイクロカプセル化して水に分散したものを採用できる。なお、潜熱蓄熱材１１０は透明な容器に封入し、当該容器をアクリル板１０１乃至１０４により構成される中空直方体の内部に配設する構成も採用可能である。
【００１８】
図１に戻り、壁体１０は複数の壁ユニット１００を平面的に配置し、接合することで構成され、各壁ユニット１００のアクリル板１０１及び１０２はそれぞれ１枚のパネルを構成して、透明層部１１、１２を構成する。各壁ユニット１００の潜熱蓄熱材１１０は透明層部１１、１２間の空間にアクリル板１０３及び１０４に区画されて配設された構成となる。
【００１９】
各壁ユニット１００には上記の通り潜熱蓄熱材１１０が配設されるが、融点温度が異なる複数種類の潜熱蓄熱材が用いられる。例えば、ｎ−パラフィンの場合、Ｃ14Ｈ30であれば融点温度は摂氏５．９度、Ｃ15Ｈ32であれば摂氏９．９度、Ｃ16Ｈ34であれば摂氏１８．２度、Ｃ17Ｈ36であれば摂氏２２度、Ｃ18Ｈ38であれば摂氏２８．２度である。
【００２０】
潜熱蓄熱材は液体と固体との間で物理変化（相変化）を生じることにより、吸熱、放熱するので、壁体１０により区画される室内の室温制御が可能となる。そして、融点温度が異なる複数種類の潜熱蓄熱材を用いることで、より広範な温度範囲で室温の制御が可能となる。
【００２１】
潜熱蓄熱材１１０は、固化した状態、液体の状態、いずれにおいても透明性を有する一方、各透明層部１１及び１２が透明なアクリル材から構成されることにより、壁体１０は透明性を有する。従って、壁体１０により区画される室内の開放感を向上することができる。
【００２２】
また、潜熱蓄熱材１１０は、固化した状態と液体の状態とで透明度が異なり、液体の状態では透明である一方、固化した状態においては白濁する。本実施形態では融点温度が異なる複数種類の潜熱蓄熱材１１０を用いることにより、気温の変化に応じて部分的に透明度が異なり、美感が変化する。従って、意匠性も向上できる。図３（ａ）及び（ｂ）は壁体１０の透明度の変化を示す図である。図３（ａ）は相対的に気温が高い場合（例えば昼間或いは夏季）、図３（ｂ）は相対的に気温が低い場合（例えば夜間或いは冬季）を示しており、網掛け部分が白濁した潜熱蓄熱材１１０を示している。
【００２３】
相対的に気温が高い場合は、気温が融点温度を超える潜熱蓄熱材１１０が相対的に多くなり、これらは液体となって透明度が高くなる。一方、相対的に気温が低い場合は、気温が融点温度を下回る潜熱蓄熱材１１０が相対的に多くなり、これらは固体となって透明度が低くなる。従って、気温の変化に応じて部分的に透明度が異なり、美感が変化する。
【００２４】
潜熱蓄熱材１１０として用いる複数種類の潜熱蓄熱材の融点温度の範囲は、壁体１０が施工される建築物の地域の気温の範囲に応じて定めることができ、例えば、摂氏０度〜３５度の範囲で、融点温度が異なる複数種類の潜熱蓄熱材を用いることが望ましい。
【００２５】
このように本実施形態の壁体１０は、室温、開放感及び意匠性の観点から多面的に室内の快適性を向上することができる。また、アクリル材はガラス材に比べて安価であり、加工性もよいという利点もある。
【００２６】
＜他の実施形態＞
上記実施形態では、壁ブロック１００として同じものを用いて壁体１０を構成したが、壁ブロック１００は、形状或いは大きさが異なる複数種類の壁ブロックを用い、これらを組み合わせて壁体１０を構成するようにしてもよい。図４は本発明の他の実施形態に係る壁体１０'の正面図である。壁体１０'は壁ブロック１００に加えて、これとは形状が異なる壁ブロック１００ａ、１００ｂ、１００ｃ、や相似形で大きさの異なる壁ブロック１００ｄを組み合わせて構成されている。形状或いは大きさが異なる複数種類の壁ブロックを用いることにより壁体１０'の意匠性を更に向上することができる。なお、図４の例では壁ブロック１００、１００ａ乃至１００ｄの正面形状をいずれも方形としたが、これに限られず、三角形や５角形以上の多角形等、様々な形状を取ることができる。アクリル材は加工性がよいため、様々な形状を取ることができる。
【００２７】
次に、上記実施形態では壁ブロック１００を平面的に配設して壁体１０を構成したが、透明層部１１及び１２をそれぞれ１枚のアクリルパネルにより構成することもできる。図５は本発明の他の実施形態に係る壁体２０の分解斜視図である。
【００２８】
壁体２０はアクリルパネル２１、２２とこれらの間に介挿される区画枠２３とを積層して構成される。アクリルパネル２１、２２は透明層部を形成し、区画枠２３は潜熱蓄熱材２４をアクリルパネル２１、２２間の空間に区画して配設するための枠体である。潜熱蓄熱材２４は透明のビニルパック等の収容体に封入されたものであり、区画枠２３により区画される各空間にそれぞれ密に配設されることになる。
【００２９】
次に、上記実施形態では、透明層部（１１、１２、２１、２２）をアクリル材で構成したが、他の種類のプラスチック材或いは他の種類の透明部材を採用してもよい。尤も、アクリル材のようなプラスチック材は加工が容易であり、現場での施工性も高いという利点があり、本発明の建築物の構成部材の製造を容易化できるという利点がある。
【００３０】
次に、上記実施形態では、透明層部（１１、１２、２１、２２）を平板状に構成し、全体として平面的な壁体１０を例示したが、透明層部（１１、１２、２１、２２）を平板状ではなく、湾曲した形状とし、全体として湾曲した壁体を構成してもよく、また、壁体以外にも空間の仕切り部材としてもよい。透明層部（１１、１２、２１、２２）を本実施形態のようなアクリル材のようなプラスチック材で構成した場合、様々形状に加工することが可能であり、意匠性を向上できる。
【００３１】
図６は本発明の他の実施形態に係る空間仕切り部材３０の断面図である。空間仕切り部材３０は茶室空間を形成するシェル状の部材として構成されており、３次元的に湾曲して形成されたアクリル材３１、３２と、これらの間に区画して介挿された潜熱蓄熱材３３とから構成される。アクリル材３１、３２は透明層部を形成し、各潜熱蓄熱材３３はアクリル材３１、３２の間の空間に蜜に配設されており、融点温度が異なる複数種類の潜熱蓄熱材が用いられている。
【００３２】
空間仕切り部材３０が３次元的な形状を有することにより、茶室空間を形成する部材としてだけでなく、一つのオブジェとして意匠性を向上することができる。
【図面の簡単な説明】
【００３３】
【図１】（ａ）は本発明の一実施形態に係る壁体１０の正面図、（ｂ）は図１（ａ）の線Ｘ−Ｘに沿う壁体１０の断面図である。
【図２】（ａ）は壁ユニット１００の斜視図、（ｂ）は壁ユニット１００の分解斜視図である。
【図３】（ａ）及び（ｂ）は壁体１０の透明度の変化を示す図である。
【図４】本発明の他の実施形態に係る壁体１０'の正面図である。
【図５】本発明の他の実施形態に係る壁体２０の分解斜視図である。
【図６】本発明の他の実施形態に係る空間仕切り部材３０の断面図である。
【符号の説明】
【００３４】
１０、１０'、２０  壁体
１１、１２  透明層部
２４、１１０  潜熱蓄熱材
３０  空間仕切り部材
【図１】
2008019555.tif 000003
【図２】
2008019555.tif 000004
【図３】
2008019555.tif 000005
【図４】
2008019555.tif 000006
【図５】
2008019555.tif 000007
【図６】
2008019555.tif 000008